(57)【要約】【課題】  本発明は、多孔質高純度シリカを使用し、椿油を水に溶解して混合する。然る後に、椿油と水が融解して椿油と水が分離しない椿油と水の混合水。【解決手段】  植物を乾燥した木質系細胞壁を燻蒸焼成して得られる多孔質高純度シリカを使用し、椿油を水に溶解して混合する。然る後に、椿油と水が融解し分離しないことを特徴とする椿油と水の混合水。【特許請求の範囲】
【請求項１】
植物を乾燥した木質系細胞壁を燻蒸焼成して得られる多孔質高純度シリカを使用し、椿油を水に溶解して混合する。然る後に、椿油と水が融解し分離しないことを特徴とする椿油と水の混合水。
【請求項２】
前記［請求項１］に示す、植物を乾燥した木質系細胞壁を燻蒸焼成して得られる多孔質高純度シリカを内蔵する多孔質陶磁物を使用し、椿油を水に溶解して混合する。然る後に、椿油と水が融解し分離しないことを特徴とする椿油と水の混合水。
【発明の詳細な説明】
【技術分野】
【０００１】  本発明は、植物を乾燥した木質系細胞壁を燻蒸焼成して得られる多孔質高純度シリカを使用し、椿油を水に溶解して混合し融解する椿油と水の混合水に関する。
【背景技術】
【０００２】  従来の椿油と水の混合水は、界面活性剤などの触媒を使った混合水や、機械装置を使い椿油の分子や水の分子を小さくして混合する椿油と水の混合水で構成されている。【０００３】  しかしながら、従来の界面活性剤などの触媒を使った混合水や、機械装置を使い椿油の分子や水の分子を小さくして混合する椿油と水の混合水は、混合後の時間経過と共に椿油と水とが分離するという欠点があった。
【発明の概要】
【発明が解決しようとする課題】
【０００４】  本発明は、以上のような従来の欠点に鑑み、椿油と水が分離しない多孔質高純度シリカを用いた椿油と水の混合水を提供することを目的としている。【０００５】  もともと、原料とする椿油は、椿の木が地中に根を張り、吸水し蒸散させる椿の木の成長過程で生成される種子から搾油したもので、種子は地中の根が吸水した水を、幹、枝、葉等に内蔵され相互に連結した細胞群（以下、細胞という。）を透過する通水の過程で、細胞に内蔵する水性脂質（以下、脂質という。）が水に付着した付着水の水分が蒸発し、後に残る脂質の集約態となっている。【０００６】  又、水が細胞を透過し通水する時の水に脂質が付着する際には、光合成の働きで細胞が増殖する効果もあることから、細胞の皮質に内蔵される水に付着する脂質の量も増加し、同時に皮質に内蔵される木質系繊維素も増殖し細胞壁を構成していく。【０００７】  このことから、種子が発根し発芽する根の吸水蒸発散過程に示される、椿の木の成長過程は、年数を経る光合成の効果で細胞は増殖し成長する。その過程は、通水の際に増殖される細胞内の脂質を伴いながら、更に、透過し通水する過程において、枝の先端に開花し種子を結実するが、その種子は、透過し通水してきた脂質に内蔵する水分が蒸発した後の脂質の集合態を形成している。【０００８】  上記に示すように、脂質の集合態となった種子から搾油される椿油は、椿の生態細胞が内蔵する脂質の集合態であり、種子を蒸気で蒸すことで水分を補給し搾油される。その際の蒸すことで内蔵された水分は搾油の過程で油分と混ざることなく蒸発する。【０００９】  このことから、搾油された椿油と水の混合態を作るには、椿油として搾油される時点で、内蔵される水分は蒸発し存在しない油分のみとして精製されている。つまり、椿油と水の混在した混合水を製造することは出来ても、水はもともと蒸発するものであるから椿油と水との同時的存在は時間経過的、即ち、水分が蒸発し終わるまでの存在となる。そのことから、従来の椿油と水の混合水は、時間が経過すると共に水分は蒸発し椿油だけが残る自然現象としての当然の帰結である。【００１０】  それ故、椿油と水とが混合して、両者が持つそれぞれの特質を普遍的な存在とするには、椿油と水の単なる直接的混合ではなく、水分が蒸発しないために、椿油を水に溶解させて混合し、時間が経過すると共に融解する間接的方法が必要である。【００１１】  この場合に用いる用語の溶解と融解を判断するには、椿の木が天然的経過である水循環過程の光合成によって、椿の幹、枝、葉に増殖される細胞内の脂質が形成される時点まで遡った技術の開発が必要になる。そのためには、椿油が水分と油分を分離した油分のみの存在であるから、椿油が再び水と出会い一体となって混在するには、そもそもの、油分と水分の出会いの時点まで遡りその実態を知る必要がある。即ち、その実態とは、前述するところの［０００６］と［０００７］及び［０００８］の水環境自然がもたらす脂質の生産状況である。【００１２】  その実態を知るための手段としては、モデル的に椿の幹や枝、葉が内蔵する細胞の皮質となって存在する繊維素を燻蒸焼成し、炭素化させた炭素系多孔質細胞壁又は珪素系細胞壁を製造する必要がある。その技法は、過去に椿木炭として実用化されているから容易ではあるが、必要とする都度に椿の幹、枝、葉を切り取り使用すると、将来への花や種子が供給出来なくなって、最後には、椿油の存在さえもなくなってしまう。【００１３】  そこで、年ごとに再生産され、椿と同じ植物系の木質系細胞壁を持ち、米糠油として油分も作る水稲の種籾から排出される籾殻を、燻蒸焼成して炭素系細胞壁を製造する。出来た炭素系細胞壁に椿油を付着させ、水を透過通水させると脂質持った水溶液が出来る。しかし、一度使用した炭素系細胞壁は破断、破砕して、その微粉末が水溶液内に混在付着し、水溶液が油性であることから微粉末を除去することは不可能に近い。それ故、この実態は、椿油と水を溶解して混合し融解する椿油と水と炭素の混合水となって、目的とする正確な意味の椿油と水の混合水ではない。【００１４】  ここにおいて、籾殻を燻蒸焼成（３００℃）した炭素系細胞壁を、更に、燻蒸焼成を続けると珪素系細胞壁群に転化する。この場合の継続手段は温度維持か温度上昇かの二通りの選択肢があるが、いずれも、多孔質の高純度シリカ（主たる成分として二酸化珪素を９７〜９８％含有する。）となる。【００１５】  出来る多孔質高純度シリカは、生態細胞の時点で水の透過通水路が空隙となっているから、生態細胞時（透過する水分子の大きさは３Åとされ、空気の分子よりも小さいことから、夾雑物、即ち、自然水に付着している臭素などの気体分子も最大限に除去されている。）と同じように水の浄化機能を持った多孔質高純度シリカとなっている。【００１６】  そこで、当該多孔質高純度シリカに椿油を付着させ、水を透過通水させると水は脂質を溶解した水溶液となり、多孔質高純度シリカはその原形を保ったまま水に椿油が溶解し混合した脂質水溶液を内蔵する多孔質高純度シリカとなる。即ち、生態時の生態細胞群と同じような、細胞セラミックス形態に内蔵された脂質水溶液が出来上がる。【００１７】  上記に示すように、廃棄性籾殻は水の浄化機能を持った多孔質高純度シリカとなって有価値化され、環境の汚染が進む水問題を解決する有価物となる。更には、その高純度性を活用して珪素鋼の品質を向上させる珪素鋼製造用原料となって、精密機械工業や重工業の材料として利用される。或いは、又、既存の窯業技術に応用することで、下記に示すような理論の構成及び水浄化機能を持ったセラミックスを製造する原料となる。【００１８】  これらの、多孔質高純度シリカの機能や働きは、天然的経過である水が循環する過程の働きとして、太陽光熱がもたらす光合成機能を内蔵し、水と共に存在する普遍的なものである。それ故、同じ光合成の恩恵を受けて人類が縄文時代に開発したとされる土器類を、水簸（粘土の精製技術）や焼成の技術進化と共に人為的、社会的に発達させてきた、陶磁器などの窯業技術と一体化する進化技術の開発とその応用でもある。【００１９】  即ち、椿油と水の混合水が時間的経過後でも椿油と水が分離しない技術として開発した、椿油を水に溶解して混合し、時間が経過する中で融解する椿油と水の混合水は、冷凍庫に入れると中央部から凍りはじめ、又、別途に超音波を照射しても椿油と水が分離することはなかった。一方で、この技術は他の植物油���も応用できることから、水と油は混ざらないとされた社会の常識的真実の前に、椿油と水の混合水が存在することが証明されることから、構成されている現代社会科学は当該多孔質高純度シリカと椿油と水の混合水の利用によって産業分野は新規性産業として、更に発展すると考えられる。【００２０】  例えば、椿油を水に溶解する際の高純度多孔質シリカの空隙には、光合成の集約体である椿油の特質が水に溶解して内蔵されている。それ故、光合成の集約体を地中或いは水中に混和或いは散布することで、同じ光合成の働きから恩恵を受ける産業である農業、水産業、酪農業・家禽飼育業等では品質性、生産性の向上用資材となる。【００２１】  又一方で、高純度多孔質シリカによって製造される椿油と水の混合水は、椿油の特徴である抗酸化性を伴った抗酸化性被膜態そのものとなっている。それ故、当該椿油と水の混合水を塗布或いは浸透させることで、鉄の風化要因でもある鉄錆取りや鉄錆予防に用いることができる。【００２２】  上述した椿油の特徴である抗酸化性機能を持つ抗酸化性被膜態は、風化の予防、即ち、土壌の風化でもある砂漠化防止のためにも活用される。即ち、砂漠化する土壌に散布することで、空中、水中、地中に存在するコケ類の胞子を含む土壌菌群が付着発芽し、保水する大地の緑化を促進する働きをする。【００２３】  一方で、本発明の椿油と水の混合水は、界面活性剤等の触媒を使用しない椿油の水溶液として、［００１９］に示すように、電磁波である超音波の照射で椿油と水に影響を与えないことから、同じ電磁波の一種である紫外線の影響を受けない対策として化粧水等化粧品業界でも、品質性、生産性向上用原料として活用することができる。このことは又、現在使用されている触媒等が汚染する水環境の浄化に貢献することともなる。【００２４】  又、更には、上記［００１８］と［００１９］に示すことと同様に、電磁波である超音波を照射しても椿油と水が分離しないことは、当該椿油と水の混合水には耐震効果、即ち、振動に耐える働きがあると考えられ、それは又、上記［００２０］及び［００２１］の抗酸化性被膜態となった風化予防の働きと合わせ、地震や豪雨などの振動や雨水で惹起される地滑りの予防、防止の働きをすると考えられる。
【課題を解決するための手段】
【００２５】  上記目的を達成するために、植物を乾燥した木質系細胞壁を燻蒸焼成して得られる多孔質高純度シリカを使用し、椿油と水を溶解して混合する。然る後に、椿油と水が融解する椿油と水の混合水を構成している。【００２６】  或いは、植物を乾燥した木質系細胞壁を燻蒸焼成し得られる多孔質高純度シリカを内蔵した多孔質陶磁物を使用し、椿油を水に溶解して混合する。然る後に、椿油と水が融解する椿油と水の混合水を構成している。